(57)【要約】【課題】開店前の準備において揚送装置の稼動状態を電源未投入を含めて的確かつ迅速に検出することのできる遊技球循環システムおよび遊技機島を提供する。【解決手段】遊技機島１０の主電源投入時に下部貯留タンク３０の開閉装置３３を強制開放し、排出された遊技球を回収コンベア６０Ｌ、６０Ｒを駆動して揚送装置１２の球導入口１８へ搬送する。この状態で球導入口１８から遊技球溢れが生じるか否かを回収コンベア６０の終端に設けたリミットセンサで検知し、遊技球溢れが生じないときは揚送装置が正常稼動していると判定し、遊技球溢れが生じたときは揚送装置１２が稼動していないと判定する。揚送装置１２が稼動していないときは回収コンベア６０を停止させかつ開閉装置を閉鎖する。【選択図】図１
2006204389.tif 000002
【特許請求の範囲】
【請求項１】
複数の遊技機が収容された遊技機島の中の循環経路を通じて、各遊技機の排出する遊技球を回収し再び各遊技機に供給して循環させる遊技球循環システムであって、
前記遊技機島の上部に遊技球を揚送する揚送装置の球導入口の閉鎖状態およびまたは前記揚送装置の停止状態を検知する検知手段と、
前記揚送装置が稼動しているか否かを判定する判定手段と
を備え、
前記判定手段は、前記揚送装置が稼動しているか否かを前記検知手段の検知状態に基づいて直ちに判定する
ことを特徴とする遊技球循環システム。
【請求項２】
複数の遊技機が収容された遊技機島の中の循環経路を通じて、各遊技機の排出する遊技球を回収し再び各遊技機に供給して循環させる遊技球循環システムであって、
循環させる遊技球を貯留するための貯留タンクと、
前記貯留タンクの排出口を開閉する開閉装置と、
前記循環経路における回収路を成すと共に、前記貯留タンクから排出された遊技球を回収し、当該遊技機島の上部に遊技球を揚送する揚送装置の球導入口へ搬送する搬送装置と、
前記球導入口からの遊技球の溢れを検知する検知手段と、
前記揚送装置が稼動しているか否かを判定する判定手段と
を備え
前記判定手段は、前記搬送装置を動作させると共に前記開閉装置を強制開放し、これにより前記検知手段が溢れを検知するか否かに基づいて前記揚送装置が稼動しているか否かを判定する
ことを特徴とする遊技球循環システム。
【請求項３】
前記判定手段が、前記揚送装置は稼動していないと判定したとき、前記搬送装置を停止させ、かつ前記開閉装置を閉鎖させる
ことを特徴とする請求項２に記載の遊技球循環システム。
【請求項４】
前記揚送装置が稼動していないと判定した後に前記検知手段が溢れを検知しなくなってから所定時間が経過したとき、前記搬送装置の動作を再開し、かつ前記開閉装置を開放可能にする
ことを特徴とする請求項３に記載の遊技球循環システム。
【請求項５】
前記強制開放を、前記開放装置の開閉状態を初期化する初期動作の一部として実行する
ことを特徴とする請求項２、３または４に記載の遊技球循環システム。
【請求項６】
遊技機島の主電源投入時に前記判定手段による判定動作を実行する
ことを特徴とする請求項１、２、３、４または５に記載の遊技球循環システム。
【請求項７】
複数の遊技機が収容された遊技機島の中の循環経路を通じて、各遊技機の排出する遊技球を回収し再び各遊技機に供給して循環させる遊技球循環システムであって、
循環させる遊技球を貯留するための貯留タンクと、
前記貯留タンクの排出口を開閉する開閉装置と、
前記循環経路における回収路を成すと共に、前記貯留タンクから排出された遊技球を回収し、当該遊技機島の上部に遊技球を揚送する揚送装置の球導入口へ搬送する搬送装置と、
前記揚送装置が稼動しているか否かを判定する判定手段と
を備え
遊技機島の主電源投入と同時に前記判定手段による判定動作を実行し、前記揚送装置が稼動していないと認識したとき、前記搬送装置を停止させると共に前記開閉装置を閉鎖する
ことを特徴とする遊技球循環システム。
【請求項８】
前記揚送装置が稼動していないことを表示する表示手段を有する
ことを特徴とする請求項１、２、３、４、５、６または７に記載の遊技球循環システム。
【請求項９】
請求項１、２、３、４、５、６、７または８に記載の遊技球循環システムを備えた遊技機島。
【発明の詳細な説明】
【技術分野】
【０００１】
本発明は、複数の遊技機が収容された遊技機島の中の循環経路を通じて、各遊技機の排出する遊技球を回収し再び各遊技機に供給して循環させる遊技球循環システムに係わり、特に、営業開始前の準備を的確に進めるための技術に関する。
【背景技術】
【０００２】
パチンコ機などの遊技機を複数並設して収容する遊技機島では、遊技に供する遊技球を遊技機島の中で循環させて繰り返し使用するようになっている。詳細には、各遊技機から排出された遊技球を島下部の樋やコンベアなどで回収し、これを揚送装置によって研磨しながら遊技機島の上部貯留タンクへ揚送し、研磨後の遊技球をこの上部貯留タンクから樋などを通じて各遊技機に再度供給するようになっている。
【０００３】
また、上部貯留タンクから溢れた遊技球を、遊技機島の下部に配置した複数の下部貯留タンクに貯留しておき、上部貯留タンクの貯留量が少なくなったときに、下部貯留タンクの排出口のシャッタを開いて遊技球を揚送装置の球導入口へ送り出し、遊技機島内で循環する遊技球を適正量に維持するような制御が行なわれる。
【０００４】
このような遊技機島においては、開店前に遊技球の循環状況を検査するなど各種の準備を要し、たとえば、特許文献１には、そのような開店前の準備を簡単に行なえるようにした遊技機島制御装置が提案されている。この装置では、開店前に揚送装置に電源を投入して駆動すると共に、玉抜きストッパー装置を遊技球の流下を許容する状態に設定し、この状態下で揚送装置が単位時間あたり揚送する遊技球の個数を揚送装置に設けたセンサで検出し、その個数に基づいて循環の異常を検知している。
【０００５】
【特許文献１】特開平９−２３９１３４号公報
【発明の開示】
【発明が解決しようとする課題】
【０００６】
特許文献１のように、揚送装置が単位時間に揚送する遊技球の個数を計数することで循環の異常を検知する方法では、検知結果を出すまでに一定の計数期間を要するので、揚送装置の異常を速やかに検出することができなかった。
【０００７】
また、遊技球の回収路などに動力を用いたコンベアなどの搬送装置を導入した場合には、揚送装置のほかに搬送装置の異常を検知するためのセンサも必要になるので、循環経路全体でのセンサ数が増加してしまうという問題が生じる。
【０００８】
本発明は、上記の問題を解決しようとするものであり、開店前の準備において揚送装置の稼動状態を迅速に検出することのできる遊技球循環システムおよび遊技機島を提供することを目的としている。
【０００９】
また本発明は、循環異常を検知するためのセンサ数を循環経路全体として低減することのできる遊技球循環システムおよび遊技機島を提供することを目的としている。
【課題を解決するための手段】
【００１０】
請求項１に係わる発明は、複数の遊技機が収容された遊技機島の中の循環経路（６０、１２、１３、１６）を通じて、各遊技機の排出する遊技球を回収し再び各遊技機に供給して循環させる遊技球循環システムであって、
前記遊技機島の上部に遊技球を揚送する揚送装置（１２）の球導入口（１８）の閉鎖状態およびまたは前記揚送装置（１２）の停止状態を検知する検知手段と、
前記揚送装置（１２）が稼動しているか否かを判定する判定手段（８１）と
を備え、
前記判定手段（８１）は、前記揚送装置（１２）が稼動しているか否かを前記検知手段の検知状態に基づいて直ちに判定する
ことを特徴とする遊技球循環システムである。
【００１１】
上記発明によれば、遊技球を揚送する揚送装置（１２）の球導入口（１８）の閉鎖状態およびまたは揚送装置（１２）の停止状態を検知手段で検知し、判定手段は、検知手段の検知状態に基づいて揚送装置（１２）が稼動しているか否かを直ちに判定する。
【００１２】
請求項２に係わる発明は、複数の遊技機が収容された遊技機島の中の循環経路（６０、１２、１３、１６）を通じて、各遊技機の排出する遊技球を回収し再び各遊技機に供給して循環させる遊技球循環システムであって、
循環させる遊技球を貯留するための貯留タンク（３０）と、
前記貯留タンク（３０）の排出口（３２）を開閉する開閉装置（３３）と、
前記循環経路（６０、１２、１３、１６）における回収路を成すと共に、前記貯留タンク（３０）から排出された遊技球を回収し、当該遊技機島の上部に遊技球を揚送する揚送装置（１２）の球導入口（１８）へ搬送する搬送装置（６０）と、
前記球導入口（１８）からの遊技球の溢れを検知する検知手段（６３ｇ）と、
前記揚送装置（１２）が稼動しているか否かを判定する判定手段（８１）と
を備え
前記判定手段（８１）は、前記搬送装置（６０）を動作させると共に前記開閉装置（３３）を強制開放し、これにより前記検知手段（６３ｇ）が溢れを検知するか否かに基づいて前記揚送装置（１２）が稼動しているか否かを判定する
ことを特徴とする遊技球循環システムである。
【００１３】
上記発明によれば、開閉装置（３３）を強制開放して貯留タンク（３０）から排出させた遊技球を搬送装置（６０）で揚送装置（１２）の球導入口（１８）に向けて搬送するようにし、このとき、検知手段（６３ｇ）が揚送装置（１２）の球導入口（１８）からの遊技球溢れを検知するか否かに基づいて揚送装置（１２）の稼動状況を判定している。すなわち、揚送装置（１２）が稼動していれば、搬送装置（６０）によって球導入口（１８）まで搬送されてきた遊技球が次々と揚送されるので遊技球溢れは発生しない。一方、揚送装置（１２）が稼動していなければ、搬送されてきた遊技球が球導入口（１８）から溢れ出て検知される。この方法では、揚送装置（１２）の電源未投入や球導入口（１８）に設けたシャッタの開放忘れなども含めて揚送の可否が検出される。
【００１４】
請求項３に係わる発明は、前記判定手段（８１）が、前記揚送装置（１２）は稼動していないと判定したとき、前記搬送装置（６０）を停止させ、かつ前記開閉装置（３３）を閉鎖させる
ことを特徴とする請求項２に記載の遊技球循環システムである。
【００１５】
上記発明によれば、揚送装置（１２）が稼動していないと分かったとき、揚送装置（１２）に向けて遊技球を搬送する搬送装置（６０）を停止させると共に、開閉装置（３３）を閉鎖して搬送装置（６０）への遊技球の排出を禁止する。搬送装置（６０）を停止させることで球導入口（１８）でのこれ以上の遊技球溢れが防止される。また、貯留タンク（３０）の排出口（３２）を閉鎖することで、停止状態の搬送装置（６０）における遊技球溢れが防止される。
【００１６】
請求項４に係わる発明は、前記揚送装置（１２）が稼動していないと判定した後に前記検知手段（６３ｇ）が溢れを検知しなくなってから所定時間が経過したとき、前記搬送装置（６０）の動作を再開し、かつ前記開閉装置（３３）を開放可能にする
ことを特徴とする請求項３に記載の遊技球循環システムである。
【００１７】
上記発明によれば、揚送装置（１２）が稼動し始めて、検知手段（６３ｇ）が遊技球溢れを検知しなくなってから所定時間の経過後に搬送装置（６０）の動作が再開されると共に貯留タンク（３０）の排出口（３２）の強制閉鎖が解除されて開放可能な状態になる。球導入口（１８）に停留していた遊技球は所定時間が経過する間に一掃され、その後は通常の制御が行なわれる。
【００１８】
請求項５に係わる発明は、前記強制開放を、前記開放装置の開閉状態を初期化する初期動作の一部として実行する
ことを特徴とする請求項２、３または４に記載の遊技球循環システムである。
【００１９】
上記発明によれば、揚送装置（１２）の稼動状況を検査するための強制開放が開放装置の開閉状態を初期化する動作の一部として行なわれる。初期動作では、開閉装置（３３）を一度開いてから閉鎖させるので、その開いたときに遊技球が排出され、強制開放としての作用を果たす。貯留タンク（３０）の開閉装置（３３）の初期動作は、通常、遊技機島の主電源投入時に行なわれる。
【００２０】
請求項６に係わる発明は、遊技機島の主電源投入時に前記判定手段（８１）による判定動作を実行する
ことを特徴とする請求項１、２、３、４または５に記載の遊技球循環システムである。
【００２１】
上記発明によれば、遊技機島の主電源投入時に揚送装置（１２）が稼動しているか否かが判定される。遊技機島の主電源投入時に揚送装置（１２）の稼動状況を検査することで、揚送装置（１２）の不稼動による遊技球溢れが未然に防止される。また、揚送装置（１２）は遊技機島内での循環の要なのでその稼動状態を最初に検査することで、他の箇所の検査をその後円滑に進めることが可能になる。
【００２２】
請求項７に係わる発明は、複数の遊技機が収容された遊技機島の中の循環経路（６０、１２、１３、１６）を通じて、各遊技機の排出する遊技球を回収し再び各遊技機に供給して循環させる遊技球循環システムであって、
循環させる遊技球を貯留するための貯留タンク（３０）と、
前記貯留タンク（３０）の排出口（３２）を開閉する開閉装置（３３）と、
前記循環経路（６０、１２、１３、１６）における回収路を成すと共に、前記貯留タンク（３０）から排出された遊技球を回収し、当該遊技機島の上部に遊技球を揚送する揚送装置（１２）の球導入口（１８）へ搬送する搬送装置（６０）と、
前記揚送装置（１２）が稼動しているか否かを判定する判定手段（１８ｉ、８１）と
を備え
遊技機島の主電源投入と同時に前記判定手段（１８ｉ、８１）による判定動作を実行し、前記揚送装置（１２）が稼動していないと認識したとき、前記搬送装置（６０）を停止させると共に前記開閉装置（３３）を閉鎖する
ことを特徴とする遊技球循環システムである。
【００２３】
上記発明によれば、遊技機島の主電源投入と同時に揚送装置（１２）が稼動しているか否かを判定手段（１８ｉ、８１）によって判定し、揚送装置（１２）が稼動していないと認識したとき、搬送装置（６０）を停止させると共に貯留タンク（３０）の開閉装置（３３）を閉鎖する。主電源投入と同時に揚送装置（１２）の稼動を判定するので、揚送装置（１２）の不稼動による遊技球溢れが未然に防止される。また、揚送装置（１２）は遊技機島内での循環の要なのでその稼動状態を最初に検査することで、他の箇所の検査をその後円滑に進めることが可能になる。
【００２４】
また、揚送装置（１２）が稼動していないと分かったとき、揚送装置（１２）に向けて遊技球を搬送する搬送装置（６０）を停止させるので球導入口（１８）でのこれ以上の遊技球溢れが防止される。さらに、開閉装置（３３）を閉鎖して搬送装置（６０）への遊技球の排出を禁止するので、停止状態の搬送装置（６０）における遊技球溢れが防止される。
【００２５】
請求項８に係わる発明は、前記揚送装置（１２）が稼動していないことを表示する表示手段（８５）を有する
ことを特徴とする請求項１、２、３、４、５、６または７に記載の遊技球循環システムである。
【００２６】
上記発明によれば、揚送装置（１２）の不稼動が表示手段（８５）を通じて報知される。
【００２７】
請求項９に係わる発明は、請求項１、２、３、４、５、６、７または８に記載の遊技球循環システムを備えた遊技機島である。
【発明の効果】
【００２８】
本発明に係わる遊技球循環システムおよびこれを備えた遊技機島によれば、遊技球を揚送する揚送装置の球導入口の閉鎖状態およびまたは揚送装置の停止状態を検知手段で直接検知するので、揚送装置が稼動しているか否かを、営業開始前の準備などにおいて迅速に判定することができる。
【００２９】
また、開閉装置を強制開放して貯留タンクから排出させた遊技球を搬送装置を駆動して揚送装置の球導入口に向けて搬送し、球導入口において遊技球溢れが発生するか否かに基づいて揚送装置の稼動状況を判定するものでは、揚送装置の球導入口の閉鎖状態や揚送装置の停止を検知するためのセンサを別途設けることなく揚送装置の稼動を判定できるので、循環経路全体としてのセンサ数を減らすことができる。
【００３０】
揚送装置が稼動していないと分かったとき、搬送装置を停止させると共に、開閉装置を閉鎖して搬送装置への遊技球の排出を禁止するものでは、球導入口でのこれ以上の遊技球溢れや、停止させた搬送装置における遊技球溢れを防止することができる。
【００３１】
揚送装置が稼動し始めて検知手段が遊技球溢れを検知しなくなってから所定時間の経過後に搬送装置の動作の再開や開閉装置の閉鎖を解除して開放可能な状態にするものでは、球導入口に停留していた遊技球が所定時間の経過する間に一掃されるので、搬送装置などの動作再開直後に大量の遊技球を球導入口へ搬送しても、遊技球溢れが生じることがなく、円滑な運転再開が確保される。
【００３２】
遊技機島の主電源投入時に揚送装置の稼動状況を判定するものでは、搬送装置など他の装置を本格稼動させる前に揚送装置の稼動状況を検査するので、揚送装置の不稼動による遊技球溢れを未然に防止することができる。また、揚送装置は遊技機島内における循環の要なので、その稼動状態を最初に検査することで他の箇所の検査をその後円滑に進めることができる。
【００３３】
揚送装置の稼動検査のための強制開放を開放装置の初期動作の一部として実行するものでは、揚送装置の稼動検査が効率化される。
【００３４】
また、揚送装置の不稼動を表示手段に表示するので、早期の復旧措置を促すことができる。
【発明を実施するための最良の形態】
【００３５】
以下、図面に基づき本発明の実施の形態を説明する。  
図１は、本実施の形態に係わる遊技球貯留装置を備えた遊技機島１０の内部構造を示し、図２は、遊技機島１０の内部構造の縦断面を示している。図１に示すように、遊技機島１０は、多数の遊技機２とそれらの付帯設備を収容するものであり、遊技機２などを取り付ける島枠や島柱１１が遊技ホールのフロア上に構築されている。ここでは、遊技機２は、遊技球（パチンコ球）を打ち出して入賞を楽しむパチンコ機である。
【００３６】
遊技機島１０の中央には、遊技球を島の下部から上部へ研磨しながら揚送する揚送装置１２が立設されており、揚送装置１２の左右両側に、多数の遊技機２が背中合わせにした状態で遊技機島１０の表裏両面に設置されている（図２参照）。なお、図１に示すように、各遊技機２の横には、遊技球を貸し出すための球貸機３が設置されている。
【００３７】
遊技機島１０の中央上部には、揚送装置１２が揚送した遊技球を受け入れて貯留するための上部貯留タンク１３が設置してある。上部貯留タンク１３は、満杯を検知する上部タンク満杯検知センサ１４と、空を検知する上部タンク空検知センサ１５とを備えている。
【００３８】
上部貯留タンク１３の左右両側にはそれぞれ、上部貯留タンク１３から遊技機２や球貸機３へ遊技球を補給するための補給分配路１６が、島の上部に掛け渡すようにして設置されている。補給分配路１６は、左右に長い大型の遊技機島においても、長い連続する下り傾斜で遊技球の流れが高速になり過ぎないようにするために、島の中央付近の遊技機２などに遊技球を補給する中央補給樋１６ａと、それより島端寄りの遊技機２などに遊技球を補給する遠方補給樋１６ｂとに分けて構成されている。
【００３９】
遠方補給樋１６ｂは、上部貯留タンク１３から島端までの約半分を少し越えた辺りまでやや下り傾斜して延びる上補給樋１６ｃと、上補給樋１６ｃの端部に取り付けられた中継分配部１６ｄと、この中継分配部１６ｄから分岐して島端まで下り傾斜して延びる第１下補給樋１６ｅと、中継分配部１６ｄから島の中央方向へ中央補給樋１６ａに至るまで下り傾斜して延びる第２下補給樋１６ｆとから構成される。遊技球は、中央補給樋１６ａ、第１下補給樋１６ｅ、第２下補給樋１６ｆの適所に配置した整列採取部１７で採取され、遊技機２や球貸機３に補給される。
【００４０】
遊技機島１０に並設された遊技機２や球貸機３の下方には、遊技球を貯留するための下部貯留タンク３０が複数設置されている。ここでは、揚送装置１２の右側に、右第１下部貯留タンクＲ１とさらにその右隣に右第２下部貯留タンクＲ２とを配置し、揚送装置１２の左側に、左第１下部貯留タンクＬ１とさらにその左隣に左第２下部貯留タンクＬ２とを配置している。
【００４１】
各下部貯留タンク３０（Ｌ１、Ｌ２、Ｒ１、Ｒ２）は、底部３１が左右両端から中央に向けて下り傾斜しており、最下部に、遊技球の排出口３２を有し、さらにこの排出口３２を開閉するための開閉装置３３を備えている。なお、下部貯留タンク３０は、島柱１１の下部に取り付けられる腰板が容器の側壁を兼ねるように構成されており、遊技機島１０の狭い下部空間において、より大きな容積を稼げるようになっている。
【００４２】
複数連設した下部貯留タンク３０の下方には、これらに沿うようにして、揚送装置１２の下部にある球導入口１８へ向けて遊技球を搬送する搬送装置としての回収コンベア６０が配置されている。回収コンベア６０は、遊技機島１０の右半分を担当する右回収コンベア６０Ｒと、遊技機島１０の左半分を担当する左回収コンベア６０Ｌとの２つがありそれぞれ、各遊技機２からアウト球として排出された遊技球の回収と、下部貯留タンク３０の排出口３２から開閉装置３３を通じて排出された遊技球の回収とを行なう。なお、図２に示すように、遊技機２からアウト球として排出された遊技球は、流路管１９を通じて回収コンベア６０の搬送路上に案内される。
【００４３】
上部貯留タンク１３には、揚送装置１２が揚送した遊技球のうち上部貯留タンク１３内へ排出しきれなかった遊技球を逃がすためのオーバーフロー管２６が付設されている。オーバーフロー管２６を流下してきた遊技球は、右第１下部貯留タンクＲ１または左第１下部貯留タンクＬ１に排出されて貯留される。また、補給分配路１６で余剰となった遊技球は、中継分配部１６ｄに接続されたオーバーフロー管２７を通じて、その下方に配置された右第２下部貯留タンクＲ２または左第２下部貯留タンクＬ２に案内されて貯留されるようになっている。
【００４４】
このほか、遊技機島１０の表裏両面に並設された遊技機２の背面間には、球貸機３に取り込まれた紙幣を島端まで搬送する紙幣搬送装置２１と、同じく球貸機３に取り込まれた硬貨を島端まで搬送する硬貨搬送装置２２とが、それぞれ上下に離れて遊技機島１０の長手方向に延びるように配設されている。遊技機島１０の一端には、紙幣搬送装置２１により搬送された紙幣を分別して収納する紙幣金庫２３と、硬貨搬送装置２２により搬送された硬貨を分別して収納する硬貨金庫２４とが設置されている。
【００４５】
また、遊技機島１０の他端には、遊技者が獲得した遊技球を計数しながら回収する景品球計数機２５が設置されている。さらに、景品球計数機２５のある島端上部には、島内での遊技球の循環や貯留に係わる各種の制御を行なう制御部８０が設置されている。制御部８０は、遊技ホール全体を統括管理する後述のホール管理コンピュータ５（図１１）に接続され管理される。制御部８０の構成および動作の詳細は後述する。なお、遊技機島１０における遊技球循環システムは、下部貯留タンク３０と、開閉装置３３と、回収コンベア６０と、揚送装置１２と、上部貯留タンク１３と、補給分配路１６と、制御部８０とを主要部として構成される。
【００４６】
次に、開閉装置３３の構造について説明する。
【００４７】
図３は、開閉装置３３の装着状態を、開閉状態を変えて各種示した正面図であり、図４は、開閉装置３３の装着状態を上方（下部貯留タンク３０の内側）から見た様子を示している。また図５は、図３のＡ−Ａ矢視断面を示している。
【００４８】
図３に示すように、下部貯留タンク３０の底部３１の最下部付近には、下部貯留タンク３０内の遊技球が底部３１の最下部に設けた排出口３２へその右側と左側とに分かれて流入するように規制するための一対の遊技球用通路３４が配置されている。遊技球用通路３４は、左右から中央の排出口３２へ向かう路面３１ａと、排出口３２とその左右両側の路面３１ａとを上方から覆う屋根部４１と、屋根部４１を前後から挟む壁部材（図示省略）とから構成されている。
【００４９】
屋根部４１は、下部貯留タンク３０内の遊技球を左右に振り分けるように、中央から左右両端に向かって下方に傾斜した屋根形に形成され、さらにその両端で垂直下方に折り曲げられたフランジ部４１ａを備えている。フランジ部４１ａの下端と路面３１ａとの隙間は遊技球の直径よりやや大きくしてあり、この隙間から遊技球が１層になって遊技球用通路３４の中へ流入するように設定されている。
【００５０】
開閉装置３３は、遊技球用通路３４の中央にある排出口３２に嵌め込むように取り付けられている。開閉装置３３は、本体ケース５１と、この本体ケース５１の内部で揺動可能に軸支されたタンク開閉部材５２とを有する。なお、図４は、屋根部４１を取り除いた状態で開閉装置３３を上方から見た状態である。
【００５１】
本体ケース５１は、排出口３２にちょうど嵌まる箱状を成し、その上面が排出口３２の周縁と同一の高さとなるように設置され、かつ左右両縁部５１ａを残して上面の中央が大きく矩形に開口されている（図３参照）。また、図５に示すように、本体ケース５１の底面中央は、その下方に配置された回収コンベア６０の真上となる部分で開口した連通部５１ｂを有している。タンク開閉部材５２は、前後左右の壁部と底部とを備え、かつ上面の開放された容器形状を成し、本体ケース５１の上面に設けた矩形の開口の中にちょうど収まる外形を有している。前後の側壁と底部５２ｂとの境界部分には、遊技球の流出口５２ａが形成されている。
【００５２】
タンク開閉部材５２は、上部近傍中央で前後方向に延びた枢軸５２ｃに一体に固定され、この枢軸５２ｃが本体ケース５１上部の軸受穴に回動可能に支持されている。枢軸５２ｃはＬ字状を成して下方に延び、その下端でさらにＬ字に曲げてある。下端のＬ字部分は、駆動モータ５３によって正逆回転するスクリュー部材５４に螺合されたナット部材５５に設けた長穴状の軸穴に挿入されている。駆動モータ５３を正逆回転させるとナット部材５５が左右に移動し、この移動に伴ってタンク開閉部材５２が枢軸５２ｃを中心に左または右に傾斜するようになっている（図３参照）。
【００５３】
タンク開閉部材５２は、図３（ａ）に示すように、左右のいずれにも傾かない水平状態のとき、右側壁５２ｄおよび左側壁５２ｅの上端がそれぞれ本体ケース５１の上面の縁部５１ａよりも、ほぼ遊技球の直径分だけ上方へ突出するようになっている。水平状態では、本体ケース５１の上面の縁部５１ａより突出した右側壁５２ｄおよび左側壁５２ｅに堰きとめられて遊技球がタンク開閉部材５２の中へ流入できない閉鎖状態が形成される。
【００５４】
図３（ｂ）に示すように、タンク開閉部材５２を左下がりに傾斜させると、左側壁５２ｅの上端が本体ケース５１の上面の縁部５１ａより下方となり、排出口３２の左側からタンク開閉部材５２の中に遊技球が流入する左開放状態になる。このとき、右側壁５２ｄの上端は本体ケース５１の上面の縁部５１ａより突出して遊技球の右からの流入を阻止する。逆に、図３（ｃ）に示すように、タンク開閉部材５２を右下がりに傾斜させると、右側壁５２ｄの上端が本体ケース５１の上面の縁部５１ａより下方となり、排出口３２の右側からタンク開閉部材５２の中に遊技球が流入する右開放状態になる。このとき、左側壁５２ｅの上端は本体ケース５１の上面の縁部５１ａより突出し、遊技球の左からの流入を阻止する。
【００５５】
ナット部材５５の近傍に配置された検知部５６は、ナット部材５５の位置を検出することで、間接的にタンク開閉部材５２の傾斜状態を検知する機能を果たし、開閉装置３３の動作異常を検知する異常検知手段の一部としての役割も果たす。中央の検知部５６ａは、タンク開閉部材５２が水平状態にあることを検知し、右側の検知部５６ｂは、タンク開閉部材５２が左下がりに傾斜した左開放状態であることを検知し、左側の検知部５６ｃは、タンク開閉部材５２が右下がりに傾斜した右開放状態であることを検知する。
【００５６】
このように開閉装置３３は駆動モータ５３を正逆に回転駆動して、タンク開閉部材５２の姿勢を水平状態や左右のいずれかに傾斜した状態に変化させることで、遊技球が排出されない閉鎖状態と、下部貯留タンク３０内で開閉装置３３より右側にある遊技球が主に排出される右開放状態と、左側にある遊技球が主に排出される左開放状態とに変化する。開閉装置３３は電源投入時に、タンク開閉部材５２の姿勢を左右に傾斜するように変化させて現在位置を確認した後、正規の位置（閉鎖状態）に設定する初期動作を行なうようになっている。
【００５７】
なお、図５に示すように、タンク開閉部材５２に流入した遊技球は、タンク開閉部材５２の底部５２ｂで一旦受け止められた後にその流出口５２ａを通じて本体ケース５１へ落下し、本体ケース５１でもう一度受け止められた後に本体ケース５１の連通部５１ｂを通じて回収コンベア６０上に排出される。これにより、遊技球が下部貯留タンク３０の排出口３２から回収コンベア６０上に排出される際の衝撃が緩和され、排出に伴う騒音も低減される。
【００５８】
次に、回収コンベア６０について説明する。
【００５９】
図６は回収コンベア６０の正面を、図７は回収コンベア６０の平面をそれぞれ示している。回収コンベア６０は、フレーム６１と、このフレーム６１の一端に接続された駆動部６２と、フレーム６１の他端に接続された従動部６３とを備えている。さらに、駆動部６２が有する駆動プーリ６２ａと従動部６３が有する従動プーリ６３ａとの間にフレーム６１を上下から挟むように無端ベルト６４が掛け渡されている。
【００６０】
駆動部６２は、島柱１１に配設されるベース部６２ｂと、これに取り付けられた駆動プーリ６２ａと、モータ６２ｃと、モータ電源６２ｄと、無端ベルト６４の弛みを取る駆動側テンションローラ６２ｅと、駆動側テンションローラ６２ｅを牽引する駆動側テンションバネ６２ｆと、リミットスイッチ６２ｇとを有している。モータ６２ｃの出力プーリ６２ｈから駆動プーリ６２ａへは伝達ベルト６２ｉを介して動力が伝達される。無端ベルト６４が実際に周回しているか否かは無端ベルト６４の移動に伴って回転する回転スリット６２ｊと、その回転を検知するスリットセンサ６２ｋとにより監視される。
【００６１】
従動部６３は、島柱１１に配設されるベース部６３ｂと、従動プーリ６３ａと、従動側テンションローラ６３ｃと、一端が従動プーリ６３ａの軸両端に取り付けられ他端がベース部６３ｂの所定箇所に取り付けられた一対の従動側テンションバネ６３ｄとを備えている。従動側テンションバネ６３ｄは、無端ベルト６４の弛みを無くすように従動プーリ６３ａを反駆動部６２側へ牽引している。
【００６２】
無端ベルト６４は、フレーム６１に対して従動側テンションローラ６３ｃ側の面が張り側となって従動部６３から駆動部６２へ移動し、反対側が弛み側となって駆動部６２から従動部６３へ移動するように周回し、張り側に載置されて搬送されてきた遊技球を揚送装置１２の球導入口１８へ受け渡すように構成されている。リミットスイッチ６２ｇは、球導入口１８への搬送量が過剰になって球導入口１８から遊技球が溢れそうになったことを検知する検知手段として機能する。リミットスイッチ６２ｇは、通常状態では接点がオンになっており、溢れそうになった遊技球に押されると接点がオフになってモータ６２ｃを停止させる役割を果たす。
【００６３】
図８は、図７のＢ−Ｂ矢視断面を表わしている。フレーム６１は、回収コンベア６０のほぼ全長に亘る長さで断面略Ｈ型を成しており、Ｈの横棒部分を成す水平フレーム部６１ｂは無端ベルト６４より幅広になっている。この水平フレーム部６１ｂは、無端ベルト６４の張り側を裏面からほぼ全幅に亘って支持する支持部６１ｃと、その両サイドに広がり、無端ベルト６４の張り側の表面に向かって僅かに下り傾斜した玉受け部６１ｄとで構成される。搬送量が増えると遊技球は無端ベルト６４上から溢れ、玉受け部６１ｄまで広がった状態で搬送される。
【００６４】
図７に示すように、駆動部６２は、フレーム６１との接続箇所近傍において支持部６１ｃと同様に無端ベルト６４を裏面から支持する支持板６２ｌを備えており、この支持板６２ｌには、無端ベルト６４のほぼ全幅に亘る遊技球排出口６２ｍが設けてある。遊技球排出口６２ｍは、無端ベルト６４とフレーム６１との隙間に入り込んだ遊技球を排出するための開口である。
【００６５】
図８に示すように、フレーム６１には、紐状体６５をフレーム６１の長手方向に沿って収納可能な収納ガイド６６が設けてある。収納ガイド６６は、フレーム６１の表面側と裏面側とに設けてあり、それぞれにフレーム６１のほぼ全長に亘る長さの紐状体６５が収納される。各収納ガイド６６は、全長に亘るスリット状の開放部６６ａを備えかつ長手方向の両端部が紐状体６５を出し入れ可能に開放されている。紐状体６５は、ＰＰ（ポリプロピレン）バンドやワイヤなどで、ある程度の腰があるように構成される。
【００６６】
紐状体６５は、無端ベルト６４を掛け替える際に使用する。詳細には、従動部６３側で新たな無端ベルト６４の端部とフレーム６１の表側の紐状体６５とを接続した後、駆動部６２側でその紐状体６５の反対側の端部を、無端ベルト６４が通るべきルートで駆動プーリ６２ａや駆動側テンションローラ６２ｅの間を通してから引っ張る。これにより、新たな無端ベルト６４が紐状体６５の後を辿って駆動プーリ６２ａや駆動側テンションローラ６２ｅに掛け渡される。
【００６７】
その後、この無端ベルト６４の端部を、フレーム６１の裏面側にあるもう１本の紐状体６５に駆動部６２側で接続し直し、この紐状体６５の他端を従動部６３側から引っ張り、無端ベルト６４をほぼ１周させる。回収コンベア６０は、下部貯留タンク３０の下方の狭い空間に配置されているが、紐状体６５を利用することで、無端ベルト６４の交換作業を円滑に進めることができる。また、無端ベルト６４自体に腰が無くても、紐状体６５に先導させることで駆動プーリ６２ａや駆動側テンションローラ６２ｅの間に無端ベルト６４を簡単に通すことが可能になる。
【００６８】
次に、揚送装置１２の球導入口１８の構成を説明する。図９は球導入口１８の正面を示し、図１０は球導入口１８の側面を示している。球導入口１８は、左右の回収コンベア６０Ｒ、６０Ｌから遊技球を受け入れて中央下部の開口から下方へ排出する合流樋１８ａと、この合流樋１８ａの中央下部の開口に設けられた目の粗いフィルタ状の大異物除去部１８ｂと、大異物除去部１８ｂを通過した遊技球を受け入れて揚送装置１２へ案内する下方傾斜した流路を成すと共に小さい異物を除去するための複数のスリットが路面に設けられた小異物除去部１８ｈと、この小異物除去部１８ｈの先端に出没するシャッタ部１８ｃとを備えた揚送機シャッタ装置１８ｄと、この揚送機シャッタ装置１８ｄの開閉操作部１８ｅとから構成されている。小異物除去部１８ｈの路面に設けたスリットの幅は遊技球の直径より細くなっており、遊技球より小さい異物がスリットから落下するようになっている。
【００６９】
シャッタ部１８ｃは、基端部１８ｇを中心に上下に揺動して流路上の遊技球を遮断または通過させる状態に変位する。すなわち、シャッタ部１８ｃの先端が遊技球の流路を成す小異物除去部１８ｈの下端より下方になるように変位すると流路の出口が開放されて遊技球が揚送装置１２へ流入可能な開状態になる。一方、シャッタ部１８ｃの先端が小異物除去部１８ｈの下端より上方になるように変位すると流路の出口が閉鎖されて遊技球が揚送装置１２へ流入不能な閉状態になる。開閉操作部１８ｅを手動操作することでシャッタ部１８ｃは開閉される。揚送機シャッタ装置１８ｄの内部には、シャッタ部１８ｃの開閉状態を検知する揚送シャッタ開閉センサ１８ｉが設けてある。なお、揚送シャッタ開閉センサ１８ｉは、図中の破線で示すように開閉操作部１８ｅに設けてもよい。
【００７０】
図１１は、制御部８０と周辺装置との接続状態を示している。制御部８０は、図示省略のＣＰＵ（中央演算処理装置）とＲＯＭ（リード・オンリ・メモリ）とＲＡＭ（ランダム・アクセス・メモリ）とを主要部とする回路で構成されている。制御部８０には、表示装置８５と、設定操作部８６と、揚送シャッタ開閉センサ１８ｉと、右回収コンベア６０Ｒのモータ６２ｃ（Ｒ）と、左回収コンベア６０Ｌのモータ６２ｃ（Ｌ）とが接続されている。また、右回収コンベア６０Ｒのスリットセンサ６２ｋ（Ｒ）からの搬送検知信号９１Ｒと、右回収コンベア６０Ｒのリミットスイッチ６２ｇ（Ｒ）からのリミット信号９２Ｒと、左回収コンベア６０Ｌのスリットセンサ６２ｋ（Ｌ）からの搬送検知信号９１Ｌと、左回収コンベア６０Ｌのリミットスイッチ６２ｇ（Ｌ）からのリミット信号９２Ｌとが入力されている。
【００７１】
さらに制御部８０には、各下部貯留タンク３０（Ｌ１、Ｌ２、Ｒ１、Ｒ２）に取り付けられている開閉装置３３ａ〜３３ｄが、それぞれに対応する開閉装置補助制御手段８７ａ〜８７ｄを介して接続されている。制御部８０は、開閉装置補助制御手段８７を介して開閉装置３３に対して開放指示や閉鎖指示、初期動作指示などの各種制御信号９３を出力する。
【００７２】
このほか、制御部８０には、上部貯留タンク１３や各下部貯留タンク３０からそれぞれの貯留量を示す貯留量検知信号９４や、遊技機島１０の主電源のオンオフ状況を示す遊技機島主電源オン信号９５が入力されている。また、遊技店に配置された各種遊技機器を統括管理するホール管理コンピュータ５がＬＡＮ（ローカル・エリア・ネットワーク）を通じて接続されている。
【００７３】
制御部８０は、各回収コンベアのモータ６２ｃ（Ｒ）、６２ｃ（Ｌ）や開閉装置３３ａ〜３３ｄなどの動作を制御して遊技機島１０内での遊技球の循環や貯留を管理する機能などを果たす。また、遊技機島１０の主電源投入時に揚送装置１２の稼動判定などを行なうために稼動判定部８１と、強制停止制御部８２と、再開遅延時間管理部８３とを備えている。
【００７４】
稼動判定部８１は、主電源がオンしたことを遊技機島主電源オン信号９５によって検知したとき、揚送装置１２が稼動しているか否かを判定するための一連の処理を実行する。強制停止制御部８２は、揚送装置１２の不稼動が稼動判定部８１によって検出された場合に、回収コンベア６０を強制停止させると共に下部貯留タンク３０の開閉装置３３を強制的に閉鎖状態に制御するなどの機能を果たす。再開遅延時間管理部８３は、主電源オン時に不稼動であった揚送装置１２が稼動し始めたとき、その時点から開閉装置３３の強制閉鎖を解除するまでの待ち時間を管理する機能を果たす。
【００７５】
表示装置８５は、揚送装置１２の不稼動など各種機器の状況が表示される。設定操作部８６は、再開遅延時間管理部８３の計時時間などを設定変更する操作を受け付ける。
【００７６】
次に、遊技機島１０における遊技球の循環および貯留動作について説明する。
【００７７】
各遊技機２からアウト球として排出された遊技球は、図２に示すように、流路管１９を通じて回収コンベア６０上に排出される。遊技球は回収コンベア６０によって搬送されて揚送装置１２の球導入口１８へ流入し、揚送装置１２に揚送されて上部貯留タンク１３に排出されて貯留される。上部貯留タンク１３に貯留されている遊技球は補給分配路１６を通じて各遊技機２や球貸機３に供給される。
【００７８】
補給分配路１６に供給される遊技球の一部は余剰分としてオーバーフロー管２７を通じて左第２下部貯留タンクＬ２または右第２下部貯留タンクＲ２に回収され貯留される。また、上部貯留タンク１３が満杯になり、揚送装置１２によって揚送されてきた遊技球が上部貯留タンク１３に入りきらないときは、その溢れた分がオーバーフロー管２６を通じて左第１下部貯留タンクＬ１または右第１下部貯留タンクＲ１に回収され貯留される。
【００７９】
上部貯留タンク１３の貯留量が少なくなったとき、具体的には上部タンク空検知センサ１５が空を検知したとき、開閉装置３３が開放され、下部貯留タンク３０に貯留されていた遊技球が回収コンベア６０上に排出される。排出された遊技球は揚送装置１２の球導入口１８に搬送されて、アウト球の場合と同様に島内を循環するようになる。上部貯留タンク１３の貯留量が一定以上になると、具体的には上部タンク満杯検知センサ１４が満杯を検知すると、開閉装置３３を閉鎖する。
【００８０】
遊技機島１０内に存する遊技球の総量は、遊技機２から賞球として払い出されるなどにより減少する一方、景品球計数機２５に遊技客が遊技球を投入することなどで増加するので、刻々と変化する。そのため、制御部８０は、島内で遊技球が不足したり、貯留量オーバーとなったりしないように、島内の全下部貯留タンク３０の貯留量合計が適正量になるように調整するための制御を行なっている。
【００８１】
島全体の貯留量が過剰の場合は、図示省略の島間搬送路を通じて、他の遊技機島へ遊技球を送出する制御が行なわれる。一方、貯留量が不足する場合は、他の遊技機島から遊技球が転送されて補給される。島間の転送は、隣接する島の上部貯留タンク１３同士を結ぶ経路を通じて行なわれる。したがって、送出元の島では、隣接する島に遊技球を送出すると上部貯留タンク１３の貯留量が低下し、やがて空になると下部貯留タンク３０の開閉装置３３を開放し、その下部貯留タンク３０の貯留量が減少して、島全体としての貯留量が減少するようになっている。このような島間での遊技球の転送制御は、ホール管理コンピュータ５で統括管理され、その指示に基づいて各制御部８０が実行するようになっている。
【００８２】
次に、営業開始前に遊技機島１０の主電源がオンになったときの制御部８０の動作を説明する。
【００８３】
図１２に示すように、制御部８０の稼動判定部８１は、遊技機島主電源オン信号９５に基づいて遊技機島１０の主電源がオンになったことを認識すると（ステップＳ１０１）、回収コンベア６０を駆動すると共に、開閉装置３３に対して初期動作を指示する（ステップＳ１０２）。ここでは、右回収コンベア６０Ｒと左回収コンベア６０Ｌの双方を稼動させると共に、すべての開閉装置３３に対して初期動作の指示を出力している。
【００８４】
初期動作の指示を受けた開閉装置３３は、タンク開閉部材５２の姿勢を左右に傾斜するように変化させてタンク開閉部材５２の現在位置を確認した後、閉鎖状態の位置にタンク開閉部材５２を設定するように動作する。この動作の過程でタンク開閉部材５２は左開放状態や右開放状態になり、そのとき各下部貯留タンク３０から排出された遊技球が、回収コンベア６０によって球導入口１８に向けて搬送される。このとき、揚送装置１２が稼動していなかったり、球導入口１８のシャッタ部１８ｃが閉じていたりすると、回収コンベア６０によって搬送されてきた遊技球が球導入口１８から溢れ出ようとして回収コンベア６０のリミットスイッチ６２ｇがオフになる。
【００８５】
稼動判定部８１は、リミットスイッチ６２ｇがオフになるか否かを監視し、初期動作指示を出してから所定時間内にリミットスイッチ６２ｇがオフになったときは（ステップＳ１０３；Ｙ）、揚送装置１２が遊技球を揚送しない状態（不稼動状態）にあると判定する。遊技球を揚送しない状態には、電源オフや故障などにより揚送装置１２が稼動していない場合のほか、球導入口１８のシャッタ部１８ｃが閉状態のままになっている場合がある。
【００８６】
制御部８０は、揚送装置１２が遊技球を揚送しない状態にあると判定したときは揚送装置１２のエラーを表示装置８５に表示する（ステップＳ１０４）。さらに、強制停止制御部８２は回収コンベア６０を停止させると共に下部貯留タンク３０の開閉装置３３を強制閉鎖状態に制御する（ステップＳ１０５）。これにより、揚送装置１２に向けて遊技球がこれ以上供給されなくなり、球導入口１８での遊技球溢れの悪化が防止される。また、開閉装置３３を閉鎖することで、停止状態の回収コンベア６０上に下部貯留タンク３０から遊技球が排出されないので、回収コンベア６０から遊技球が溢れることも防止される。
【００８７】
制御部８０は、オフになっていたリミットスイッチ６２ｇがオンになるか否かを監視し（ステップＳ１０６；Ｎ）、リミットスイッチ６２ｇがオンになると（ステップＳ１０６；Ｙ）揚送装置１２が遊技球を揚送する状態になったと判定する。再開遅延時間管理部８３は、揚送装置１２が遊技球の揚送を開始したと判定した時点から所定時間の経過を計時する(ステップＳ１０７；Ｎ)。この間に、球導入口１８で溢れていた遊技球が揚送装置１２に揚送されて一掃される。
【００８８】
制御部８０は、先の所定時間が経過したとき(ステップＳ１０７；Ｙ)、揚送装置１２に係わるエラー表示を表示装置８５から消し（ステップＳ１０８）、回収コンベア６０の駆動を再開させると共に下部貯留タンク３０の開閉装置３３を開放可能に設定して(ステップＳ１０９)処理を終了する（エンド）。開放可能に設定するとは、強制閉鎖を解除して正常時の動作に戻すことを意味する。
【００８９】
初期動作指示を出してから所定時間内にリミットスイッチ６２ｇがオンになったときは（ステップＳ１０３；Ｎ）、揚送装置１２が遊技球を正常に揚送している状態にあると判定し、回収コンベア６０の駆動を継続させると共に下部貯留タンク３０の開閉装置３３を開放可能に設定して(ステップＳ１０９)処理を終了する（エンド）。
【００９０】
このように、開閉装置３３の初期動作において下部貯留タンク３０から排出された遊技球を回収コンベア６０によって揚送装置１２の球導入口１８に搬送し、そのとき球導入口１８で遊技球溢れが生じるか否かを監視して揚送装置１２の稼動状況を判定するので、電源未投入なども含めて営業開始前に揚送装置１２の稼動状況を的確かつ迅速に検査することができる。
【００９１】
図１３は、営業開始の準備において遊技機島１０の主電源がオンになったときに揚送装置１２の稼動状況を他の方法で判定する場合における制御部８０の動作を示している。
【００９２】
制御部８０は、遊技機島１０の主電源がオンになると（ステップＳ２０１）、揚送装置１２が稼動しているか否かと球導入口１８のシャッタ部１８ｃが開状態か否かとを判定する（ステップＳ２０２）。この判定は、揚送シャッタ開閉センサ１８ｉや、揚送装置１２が有する揚送モータ１２ａの回転を検知するスリットセンサ１２ｂ（図１０参照）の出力信号などに基づいて行なう。
【００９３】
制御部８０は、揚送装置１２が稼動中かつシャッタ部１８ｃが開状態にあるときは（ステップＳ２０３；Ｙ）、揚送装置１２が遊技球を正常に揚送する状態にあると判定し、回収コンベア６０を駆動させると共に下部貯留タンク３０の開閉装置３３を開放可能に設定して(ステップＳ２０９)処理を終了する（エンド）。
【００９４】
揚送装置１２が稼動中でない場合およびまたはシャッタ部１８ｃが閉状態にあるときは（ステップＳ２０３；Ｎ）、揚送装置１２が遊技球を揚送しない状態にあると判定し、表示装置８５にその旨のエラー表示を行なう（ステップＳ２０４）。さらに、回収コンベア６０を停止させると共に下部貯留タンク３０の開閉装置３３を強制閉鎖状態に制御する（ステップＳ２０５）。これにより、揚送装置１２に向けて遊技球が供給されなくなり、球導入口１８での遊技球溢れが防止される。また、開閉装置３３を閉鎖することで、停止状態の回収コンベア６０上に下部貯留タンク３０から遊技球が排出されないので、回収コンベア６０から遊技球が溢れることも防止される。
【００９５】
制御部８０は、揚送装置１２が稼動中かつシャッタ部１８ｃが開いた状態となるか否かを監視し（ステップＳ２０６；Ｎ）、この状態になると（ステップＳ２０６；Ｙ）揚送装置１２が遊技球を揚送する状態になったと判定する。その後、再開遅延時間管理部８３は所定時間の経過を計時する(ステップＳ２０７；Ｎ)。この間に、揚送装置１２の動作が安定する。
【００９６】
制御部８０は、先の所定時間が経過したとき(ステップＳ２０７；Ｙ)、揚送装置１２に係わるエラー表示を表示装置８５から消し（ステップＳ２０８）、回収コンベア６０を駆動すると共に下部貯留タンク３０の開閉装置３３を開放可能に設定して(ステップＳ２０９)処理を終了する（エンド）。
【００９７】
このように、営業開始前の準備で揚送装置１２が遊技球を揚送しない状況にあることを検知したとき回収コンベア６０を停止させかつ開閉装置３３を閉鎖するので、稼動しない揚送装置１２に対して大量の遊技球が搬送されて球導入口１８から溢れ出してしまう事態の発生を防止することができる。
【００９８】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９９】
たとえば、実施の形態では、主電源オン時にすべての回収コンベア６０を稼動させると共にすべての開閉装置３３に初期動作指示を出力したが、いずれか一方の回収コンベアだけを稼動させてもよいし、稼動させた回収コンベア側の開閉装置３３だけに初期動作の指示を出力してもよい。
【０１００】
また、実施の形態では、開閉装置３３の初期動作を利用して遊技球を排出させたが、初期動作とは別に開閉装置３３を揚送装置１２の稼動判定用に強制開放してもよい。なお、開閉装置３３や回収コンベア６０の構造は実施の形態で例示したものに限定されない。
【図面の簡単な説明】
【０１０１】
【図１】本発明の実施の形態に係わる遊技球循環システムを備えた遊技機島の内部構造を示す正面図である。
【図２】本発明の実施の形態に係わる遊技球循環システムを備えた遊技機島の内部構造を示す縦断面図である。
【図３】遊技機島の下部貯留タンクに取り付けた開閉装置を、その開閉状態を変えて各種示す正面図である。
【図４】開閉装置の装着状態を示す平面図である。
【図５】図３のＡ−Ａ矢視断面図である。
【図６】回収コンベアを示す正面図である。
【図７】回収コンベアを示す平面図である。
【図８】図７のＢ−Ｂ矢視断面図である。
【図９】球導入口を示す正面図である。
【図１０】球導入口を示す側面図である。
【図１１】制御部とその周辺装置との接続状態を示すブロック図である。
【図１２】遊技機島の主電源オン時に制御部が行なう揚送装置の稼動チェック処理を示す流れ図である。
【図１３】遊技機島の主電源オン時に制御部が行なう揚送装置の稼動チェック処理の別の態様を示す流れ図である。
【符号の説明】
【０１０２】
Ｌ１…左第１下部貯留タンク
Ｌ２…左第２下部貯留タンク
Ｒ１…右第１下部貯留タンク
Ｒ２…右第２下部貯留タンク
２…遊技機
３…球貸機
５…ホール管理コンピュータ
１０…遊技機島
１１…島枠および島柱
１２…揚送装置
１２ａ…揚送モータ
１２ｂ…スリットセンサ
１３…上部貯留タンク
１４…上部タンク満杯検知センサ
１５…上部タンク空検知センサ
１６…補給分配路
１６ａ…中央補給樋
１６ｂ…遠方補給樋
１６ｃ…上補給樋
１６ｄ…中継分配部
１６ｅ…第１下補給樋
１６ｆ…第２下補給樋
１７…整列採取部
１８…球導入口
１８ａ…合流樋
１８ｂ…大異物除去部
１８ｃ…シャッタ部
１８ｄ…揚送機シャッタ装置
１８ｅ…開閉操作部
１８ｇ…基端部
１８ｈ…小異物除去部
１８ｉ…揚送シャッタ開閉センサ
１９…流路管
２１…紙幣搬送装置
２２…硬貨搬送装置
２３…紙幣金庫
２４…硬貨金庫
２５…景品球計数機
２６、２７…オーバーフロー管
３０…下部貯留タンク
３１…下部貯留タンクの底部
３１ａ…遊技球用通路の路面
３２…下部貯留タンクの排出口
３３…開閉装置
３４…遊技球用通路
３５…貯留量検出センサ
４１…屋根部
４１ａ…フランジ部
５１…本体ケース
５１ａ…本体ケースの上面の縁部
５１ｂ…本体ケースの連通部
５２…タンク開閉部材
５２ａ…タンク開閉部材の流出口
５２ｂ…タンク開閉部材の底部
５２ｃ…タンク開閉部材の枢軸
５２ｄ…タンク開閉部材の右側壁
５２ｅ…タンク開閉部材の左側壁
５３…駆動モータ
５４…スクリュー部材
５５…ナット部材
５６…検知部
６０…回収コンベア
６０Ｌ…左回収コンベア
６０Ｒ…右回収コンベア
６１…回収コンベアのフレーム
６１ｂ…水平フレーム部
６１ｃ…支持部
６１ｄ…玉受け部
６２…駆動部
６２ａ…駆動プーリ
６２ｂ…ベース部
６２ｃ…モータ
６２ｄ…モータ電源
６２ｅ…駆動側テンションローラ
６２ｆ…駆動側テンションバネ
６２ｇ…リミットスイッチ
６２ｈ…出力プーリ
６２ｉ…伝達ベルト
６２ｊ…回転スリット
６２ｋ…スリットセンサ
６２ｌ…支持板
６２ｍ…遊技球排出口
６３…従動部
６３ａ…従動プーリ
６３ｂ…ベース部
６３ｃ…従動側テンションローラ
６３ｄ…従動側テンションバネ
６４…無端ベルト
６５…紐状体
６６…収納ガイド
６６ａ…開放部
８０…制御部
８１…稼動判定部
８２…強制停止制御部
８３…再開遅延時間管理部
８５…表示装置
８６…設定操作部
９１Ｒ、９１Ｌ…搬送検知信号
９２Ｒ、９２Ｌ…リミット信号
９３…制御信号
９４…貯留量検知信号
９５…遊技機島主電源オン信号
【図１】
2006204389.tif 000003
【図２】
2006204389.tif 000004
【図３】
2006204389.tif 000005
【図４】
2006204389.tif 000006
【図５】
2006204389.tif 000007
【図６】
2006204389.tif 000008
【図７】
2006204389.tif 000009
【図８】
2006204389.tif 000010
【図９】
2006204389.tif 000011
【図１０】
2006204389.tif 000012
【図１１】
2006204389.tif 000013
【図１２】
2006204389.tif 000014
【図１３】
2006204389.tif 000015